(57)【要約】  高周波スイッチと共に回路基板上に実装され、高周波スイッチと共に複合高周波部品を構成するデュアルバンド弾性表面波フィルタであって、複合高周波部品のフィルタ特性の劣化を抑制し得るデュアルバンド弾性表面波フィルタ及びそれを備える複合高周波部品を提供する。  第１の入力端子３９ａは、配線基板３１の第２の主面３１ｂの第１の角部３１Ｅの上に形成されている。第２の入力端子３９ｂは、配線基板３１の第２の主面３１ｂの上において、第１の入力端子３９ａと隣り合うように、第１の長辺３１Ａまたは第１の短辺３１Ｃに沿って配置されている。第１及び第２の出力端子３９ｃ〜３９ｆは、配線基板３１の第２の主面３１ｂの第２の長辺３１Ｂ側の端縁部において、第２の長辺３１Ｂに沿って配列されている。
2011155235.tif 000002
【特許請求の範囲】
【請求項１】
第１及び第２の長辺と、第１及び第２の短辺と、前記第１の長辺と前記第１の短辺とで構成されている第１の角部と、前記第２の長辺と前記第２の短辺とで構成されている第２の角部と、第１及び第２の主面とを有する長方形状の配線基板と、
前記配線基板の前記第１の主面の上に実装されており、第１の圧電基板と、前記第１の圧電基板の上に形成されている第１の弾性表面波フィルタ部とを有する第１の弾性表面波チップと、
前記配線基板の前記第１の主面の上に実装されており、第２の圧電基板と、前記第２の圧電基板の上に形成されている、前記第１の弾性表面波フィルタ部とは帯域が異なる第２の弾性表面波フィルタ部とを有する第２の弾性表面波チップと、
を備え、
前記第１の弾性表面波フィルタ部は、第１の入力パッド電極と第１の出力パッド電極とを有し、
前記第２の弾性表面波フィルタ部は、第２の入力パッド電極と第２の出力パッド電極とを有し、
前記配線基板の前記第２の主面の上には、前記第１の入力パッド電極が電気的に接続されている第１の入力端子と、前記第２の入力パッド電極が電気的に接続されている第２の入力端子と、前記第１の出力パッド電極が電気的に接続されている第１の出力端子と、前記第２の出力パッド電極が電気的に接続されている第２の出力端子とが形成されており、
前記第１の入力端子は、前記配線基板の前記第２の主面の前記第１の角部の上に形成されており、
前記第２の入力端子は、前記配線基板の前記第２の主面の上において、前記第１の入力端子と隣り合うように、前記第１の長辺または前記第１の短辺に沿って配置されており、
前記第１及び第２の出力端子は、前記配線基板の前記第２の主面の前記第２の長辺側の端縁部において、前記第２の長辺に沿って配列されている、デュアルバンド弾性表面波フィルタ。
【請求項２】
前記第１の圧電基板と前記第２の圧電基板とが一体に形成されている、請求項１に記載のデュアルバンド弾性表面波フィルタ。
【請求項３】
前記第１及び第２の弾性表面波フィルタ部のそれぞれは、平衡−不平衡変換機能を有し、前記第１及び第２の出力端子のそれぞれが２つずつ設けられている、請求項１または２に記載のデュアルバンド弾性表面波フィルタ。
【請求項４】
前記第１の出力端子は、前記第２の出力端子と一体に形成されている、請求項３に記載のデュアルバンド弾性表面波フィルタ。
【請求項５】
請求項１〜４のいずれか一項に記載のデュアルバンド弾性表面波フィルタと、高周波スイッチと、前記デュアルバンド弾性表面波フィルタ及び高周波スイッチが実装されている第１の主面と、前記第１の主面に対向している第２の主面とを有する長方形状の回路基板とを備える複合高周波部品であって、
前記デュアルバンド弾性表面波フィルタは、前記回路基板の第１の主面の一方の長辺と、前記デュアルバンド弾性表面波フィルタの第２の短辺とが対向すると共に、前記回路基板の第１の主面の一方の短辺と前記デュアルバンド弾性表面波フィルタの第２の長辺とが対向するように配置されており、
前記高周波スイッチは、前記回路基板の第１の主面上において、前記デュアルバンド弾性表面波フィルタの第１の長辺と対向するように配置されており、
前記回路基板の第２の主面には、前記回路基板の第１の主面の一方の長辺側の端縁部において、当該長辺に沿って配列されており、前記第１及び第２の出力端子に電気的に接続されている複数の外部端子が形成されており、
前記回路基板には、前記第１及び第２の入力端子と前記高周波スイッチとを電気的に接続している入力側配線と、前記複数の外部端子と前記第１及び第２の出力端子とを電気的に接続している複数の出力側配線とが形成されている、複合高周波部品。
【請求項６】
前記回路基板の第１の主面上において、前記第１の長辺が前記高周波スイッチと対向し、前記第２の短辺が前記回路基板の第１の主面の一方の長辺と対向すると共に、前記第２の長辺が前記回路基板の第１の主面の他方の短辺と対向するように配置されているさらなるデュアルバンド弾性表面波フィルタを備え、
前記回路基板の第２の主面には、前記回路基板の第１の主面の一方の長辺側の端縁部において、前記複数の外部端子と共に、当該長辺に沿って配列されており、前記さらなるデュアルバンド弾性表面波フィルタの前記第１及び第２の出力端子に電気的に接続されている複数のさらなる外部端子が形成されており、
前記回路基板には、前記さらなるデュアルバンド弾性表面波フィルタの前記第１及び第２の入力端子と前記高周波スイッチとを電気的に接続しているさらなる入力側配線と、前記複数のさらなる外部端子と、前記さらなるデュアルバンド弾性表面波フィルタの前記第１及び第２の出力端子とを電気的に接続している複数のさらなる出力側配線が形成されている、請求項５に記載の複合高周波部品。
【発明の詳細な説明】
【技術分野】
【０００１】
本発明は、デュアルバンド弾性表面波フィルタ及び複合高周波部品に関する。特に、本発明は、高周波スイッチを備える複合高周波部品に用いられるデュアルバンド弾性表面波フィルタ及びそれを備える複合高周波部品に関する。
【背景技術】
【０００２】
近年、周波数帯が異なる複数の通信方式に対応した携帯電話機が広く普及している。このような携帯電話機においては、複数の通信方式の送受信信号を単一のアンテナで送受信するために、複数の送受信信号を切り換え可能なスイッチモジュールが使用されている。【０００３】
例えば、下記の特許文献１には、このようなスイッチモジュールの一例として、図１１に示すスイッチモジュール１００が記載されている。【０００４】
図１１に示すように、スイッチモジュール１００は、複数の誘電体層を積層してなる回路基板１０１を有する。回路基板１０１の表面の上には、高周波スイッチ１０２と、複数の弾性表面波フィルタ１０３ａ〜１０３ｃと、複数のチップコンデンサ１０４ａ〜１０４ｄと、チップインダクタ１０４ｅとが実装されている。なお、複数の弾性表面波フィルタ１０３ａ〜１０３ｃのうち、弾性表面波フィルタ１０３ａ、１０３ｃのそれぞれは、一つの弾性表面波フィルタ部を有するシングルバンド弾性表面波フィルタである。一方、弾性表面波フィルタ１０３ｂは、二つの弾性表面波フィルタ部を有するデュアルバンド弾性表面波フィルタである。【０００５】
図示は省略するが、弾性表面波フィルタ１０３ａ〜１０３ｃのそれぞれの出力端子は、回路基板１０１の積層方向に連続するビアホール電極を介して、回路基板１０１の裏面に形成された外部端子に接続されている。このため、弾性表面波フィルタ１０３ａ〜１０３ｃの出力端子のほぼ直下に、回路基板１０１の各外部端子が位置するため、出力端子と外部端子とを接続する出力側配線は短くなり、かつ隣り合う２つの出力側配線が積層方向に重なったり、近接したりすることはない。従って、寄生インピーダンスや寄生キャパシタンスが生じ難い。【０００６】
また、この場合は、回路基板１０１の裏面のｘ方向におけるｘ１側の端縁部付近に、ｘ方向に垂直なｙ方向に沿って複数の外部端子を配列できる。このため、スイッチモジュール１００の後段にあるＲＦ回路の一部を集積化したＲＦ−ＩＣと、回路基板１０１の外部端子とを接続する配線を短くできる。
【先行技術文献】
【特許文献】
【０００７】
【特許文献１】特開２００７−２６６８４０号公報
【発明の概要】
【発明が解決しようとする課題】
【０００８】
しかしながら、図１１に示すスイッチモジュール１００では、回路基板１０１の表面において、複数の弾性表面波フィルタ１０３ａ〜１０３ｃがｘ１側の端縁部付近にｙ方向に沿って配列され、高周波スイッチ１０２がｘ２側の端縁部の中央付近に配置されている。このため、複数の弾性表面波フィルタ１０３ａ〜１０３ｃの配置スペースのｙ方向に沿った長さ寸法が、高周波スイッチ１０２のｙ方向に沿った長さ寸法よりも大きくなる傾向にある。よって、高周波スイッチ１０２のｙ方向の両側にデッドスペースが生じ、スイッチモジュール１００が大型化するという問題がある。【０００９】
そこで、例えば、図１２に示すように、高周波スイッチ１０２のｙ方向の両側に、４つのシングルバンド弾性表面波フィルタ１０３ａ〜１０３ｄを２つずつ分けて配置することも考えられる。この場合であれば、複数の弾性表面波フィルタ１０３ａ〜１０３ｄの全てが直線状に配列される場合よりも、回路基板１０１上のデッドスペースを小さくし得るため、スイッチモジュールを小型化し得る。【００１０】
図１２に示すスイッチモジュールでは、弾性表面波フィルタ１０３ａ〜１０３ｄの不平衡入力端子１０５ａ〜１０５ｄと、高周波スイッチ１０２とが接続されることとなる。このため、図１２に示すように、不平衡入力端子１０５ａ〜１０５ｄを高周波スイッチ１０２の近傍に配置することが好ましい。そのように構成した場合は、弾性表面波フィルタ１０３ａ〜１０３ｄの第１及び第２の平衡出力端子１０６ａ〜１０６ｄ、１０７ａ〜１０７ｄは、弾性表面波フィルタ１０３ａ〜１０３ｄのｙ方向における高周波スイッチ１０２とは反対側に配置されることとなる。【００１１】
ここで、図１１に示す場合と同様に、弾性表面波フィルタ１０３ａ〜１０３ｄの出力端子の直下に外部端子を設けようとすると、図１２に示す場合は、複数の外部端子が、回路基板１０１のｙ１側短辺近傍と、ｙ２側短辺近傍との両方に分かれて配置されることとなる。このため、ｙ１側の外部端子から引き出された配線とｙ２側から引き出された配線との少なくとも一方は、配線が迂回してＲＦ−ＩＣに接続されることになる。その結果、従来のものより配線が長くなるため、高周波スイッチ１０２およびＲＦ−ＩＣを実装する基板の面積が大きくなる。【００１２】
よって、図１２に示す場合は、複数の外部端子１０８ａ〜１０８ｈを、回路基板１０１のｘ１側の端縁部付近にｙ方向に沿って配列し、回路基板１０１の表面や内部に形成された配線によって、これら複数の外部端子１０８ａ〜１０８ｈと、弾性表面波フィルタ１０３ａ〜１０３ｄの第１及び第２の平衡出力端子１０６ａ〜１０６ｄ、１０７ａ〜１０７ｄとを電気的に接続する必要がある。【００１３】
しかしながら、本発明者が実験した結果、図１２に示すような配置構成を採用した場合、スイッチモジュールの弾性表面波フィルタのフィルタ特性が悪化することが分かった。すなわち、図１２に示すような配置構成を採用した場合、図１３に示すように、複数の外部端子１０８ａ〜１０８ｈと第１及び第２の平衡出力端子１０６ａ〜１０６ｄ、１０７ａ〜１０７ｄとを電気的に接続している出力側配線１１０ａ〜１１０ｈと、高周波スイッチ１０２と不平衡入力端子１０５ａ〜１０５ｄとを電気的に接続している入力側配線１１１ａ〜１１１ｄとが、回路基板１０１の積層方向において交差したり近接したりする。その結果、出力側配線１１０ａ〜１１０ｈと入力側配線１１１ａ〜１１１ｄとの間に寄生成分が生じ、それによって、入出力間のアイソレーションや平衡出力信号の平衡度が悪化していることが分かった。【００１４】
本発明は、係る点に鑑みて成されたものであり、その目的は、高周波スイッチと共に回路基板上に実装され、高周波スイッチと共に複合高周波部品を構成するデュアルバンド弾性表面波フィルタであって、複合高周波部品のフィルタ特性の劣化を抑制し得るデュアルバンド弾性表面波フィルタ及びそれを備える複合高周波部品を提供することにある。
【課題を解決するための手段】
【００１５】
本発明に係るデュアルバンド弾性表面波フィルタは、長方形状の配線基板と、第１の弾性表面波チップと、第２の弾性表面波チップとを備えている。配線基板は、第１及び第２の長辺と、第１及び第２の短辺と、第１の長辺と第１の短辺とで構成されている第１の角部と、第２の長辺と第２の短辺とで構成されている第２の角部と、第１及び第２の主面とを有する。第１の弾性表面波チップは、配線基板の第１の主面の上に実装されている。第１の弾性表面波チップは、第１の圧電基板と、第１の圧電基板の上に形成されている第１の弾性表面波フィルタ部とを有する。第２の弾性表面波チップは、配線基板の第１の主面の上に実装されている。第２の弾性表面波チップは、第２の圧電基板と、第２の圧電基板の上に形成されている第２の弾性表面波フィルタ部とを有する。第２の弾性表面波フィルタ部は、第１の弾性表面波フィルタ部とは帯域が異なる。第１の弾性表面波フィルタ部は、第１の入力パッド電極と第１の出力パッド電極とを有する。第２の弾性表面波フィルタ部は、第２の入力パッド電極と第２の出力パッド電極とを有する。配線基板の第２の主面の上には、第１の入力端子と、第２の入力端子と、第１の出力端子と、第２の出力端子とが形成されている。第１の入力端子は、第１の入力パッド電極が電気的に接続されている。第２の入力端子は、第２の入力パッド電極が電気的に接続されている。第１の出力端子は、第１の出力パッド電極が電気的に接続されている。第２の出力端子は、第２の出力パッド電極が電気的に接続されている。第１の入力端子は、配線基板の第２の主面の第１の角部の上に形成されている。第２の入力端子は、配線基板の第２の主面の上において、第１の入力端子と隣り合うように、第１の長辺または第１の短辺に沿って配置されている。第１及び第２の出力端子は、配線基板の第２の主面の第２の長辺側の端縁部において、第２の長辺に沿って配列されている。【００１６】
本発明に係るデュアルバンド弾性表面波フィルタのある特定の局面では、第１の圧電基板と第２の圧電基板とが一体に形成されている。この構成によれば、デュアルバンド弾性表面波フィルタをより小型化することができる。【００１７】
本発明に係るデュアルバンド弾性表面波フィルタの他の特定の局面では、第１及び第２の弾性表面波フィルタ部のそれぞれは、平衡−不平衡変換機能を有し、第１及び第２の出力端子のそれぞれが２つずつ設けられている。【００１８】
本発明に係るデュアルバンド弾性表面波フィルタの別の特定の局面では、第１の出力端子は、第２の出力端子と一体に形成されている。【００１９】
本発明に係る複合高周波部品は、上記本発明に係るデュアルバンド弾性表面波フィルタと、高周波スイッチと、長方形状の回路基板とを備えている。回路基板は、デュアルバンド弾性表面波フィルタ及び高周波スイッチが実装されている第１の主面と、第１の主面に対向している第２の主面とを有する。デュアルバンド弾性表面波フィルタは、回路基板の第１の主面の一方の長辺と、デュアルバンド弾性表面波フィルタの第２の短辺とが対向すると共に、回路基板の第１の主面の一方の短辺とデュアルバンド弾性表面波フィルタの第２の長辺とが対向するように配置されている。高周波スイッチは、回路基板の第１の主面上において、デュアルバンド弾性表面波フィルタの第１の長辺と対向するように配置されている。回路基板の第２の主面には、回路基板の第１の主面の一方の長辺側の端縁部において、当該長辺に沿って配列されており、第１及び第２の出力端子に電気的に接続されている複数の外部端子が形成されている。回路基板には、第１及び第２の入力端子と高周波スイッチとを電気的に接続している入力側配線と、複数の外部端子と第１及び第２の出力端子とを電気的に接続している複数の出力側配線とが形成されている。【００２０】
本発明に係る複合高周波部品のある特定の局面では、複合高周波部品は、さらなるデュアルバンド弾性表面波フィルタを備えている。さらなるデュアルバンド弾性表面波フィルタは、回路基板の第１の主面上において、第１の長辺が高周波スイッチと対向し、第２の短辺が回路基板の第１の主面の一方の長辺と対向すると共に、第２の長辺が回路基板の第１の主面の他方の短辺と対向するように配置されている。回路基板の第２の主面には、回路基板の第１の主面の一方の長辺側の端縁部において、複数の外部端子と共に、当該長辺に沿って配列されており、さらなるデュアルバンド弾性表面波フィルタの第１及び第２の出力端子に電気的に接続されている複数のさらなる外部端子が形成されている。回路基板には、さらなるデュアルバンド弾性表面波フィルタの第１及び第２の入力端子と高周波スイッチとを電気的に接続しているさらなる入力側配線と、複数のさらなる外部端子と、さらなるデュアルバンド弾性表面波フィルタの第１及び第２の出力端子とを電気的に接続している複数のさらなる出力側配線が形成されている。
【発明の効果】
【００２１】
本発明によれば、高周波スイッチと共に回路基板上に実装され、高周波スイッチと共に複合高周波部品を構成するデュアルバンド弾性表面波フィルタであって、複合高周波部品のフィルタ特性の劣化を抑制し得るデュアルバンド弾性表面波フィルタ及びそれを備える複合高周波部品を提供することができる。
【図面の簡単な説明】
【００２２】
【図１】図１は、第１の実施形態に係る複合高周波部品の等価回路図である。
【図２】図２は、第１の実施形態に係る複合高周波部品の模式的透視平面図である。
【図３】図３は、第１の実施形態におけるデュアルバンド弾性表面波フィルタの略図的断面図である。
【図４】図４は、第１の実施形態における配線基板の表面の略図的平面図である。
【図５】図５は、第１の実施形態における配線基板の裏面の略図的透視図である。
【図６】図６は、第１の実施形態における弾性表面波チップの裏面の略図的平面図である。
【図７】図７は、実施例に係る複合高周波部品における第４のフィルタ部の挿入損失と、比較例に係る複合高周波部品における第４のフィルタ部の挿入損失とを表すグラフである。
【図８】図８は、実施例に係る複合高周波部品における第４のフィルタ部の振幅平衡度と、比較例に係る複合高周波部品における第４のフィルタ部の振幅平衡度とを表すグラフである。
【図９】図９は、実施例に係る複合高周波部品における第４のフィルタ部の位相平衡度と、比較例に係る複合高周波部品における第４のフィルタ部の位相平衡度とを表すグラフである。
【図１０】図１０は、変形例における配線基板の裏面の略図的透視図である。
【図１１】図１１は、特許文献１に記載のスイッチモジュールの略図的斜視図である。
【図１２】図１２は、参考例に係るスイッチモジュールの略図的平面図である。
【図１３】図１３は、参考例における弾性表面波フィルタの出力端と端子電極との間の接続態様を説明するための略図的平面図である。
【発明を実施するための形態】
【００２３】
（第１の実施形態）
以下、本発明を実施した好ましい形態について、図１及び図２に示す複合高周波部品１を例に挙げて説明する。但し、図１及び図２に示す複合高周波部品１は、単なる例示である。本発明に係る複合高周波部品は、複合高周波部品１に何ら限定されない。
【００２４】
本実施形態の複合高周波部品１は、ＧＳＭ１８００、ＧＳＭ１９００、ＧＳＭ８５０、ＧＳＭ９００の４つの通信方式に対応している。複合高周波部品１では、高周波スイッチ１０により、上記４つの通信方式での送受信信号の切り換えが可能となっている。
【００２５】
具体的には、図１に示すように、複合高周波部品１は、アンテナ端子１１に電気的に接続される高周波スイッチ１０と、高周波スイッチ１０を介してアンテナ端子１１に電気的に接続される６つのフィルタ部１２〜１７とを備えている。第１のフィルタ部１２は、ＧＳＭ１８００及びＧＳＭ１９００の送信側フィルタ（Ｔｘ）部として機能する。第２のフィルタ部１３は、ＧＳＭ８５０及びＧＳＭ９００の送信側フィルタ（Ｔｘ）部として機能する。第３のフィルタ部１４は、ＧＳＭ１８００の受信側フィルタ（Ｒｘ）部として機能する。第４のフィルタ部１５は、ＧＳＭ１９００の受信側フィルタ（Ｒｘ）部として機能する。第５のフィルタ部１６は、ＧＳＭ８５０の受信側フィルタ（Ｒｘ）部として機能する。第６のフィルタ部１７は、ＧＳＭ９００の受信側フィルタ（Ｒｘ）部として機能する。
【００２６】
高周波スイッチ１０は、これら第１のフィルタ部１２〜第６のフィルタ部１７の少なくとも一つと、アンテナ端子１１とを選択的に接続するスイッチである。なお、高周波スイッチ１０は、例えば、ＧａＡｓスイッチにより構成することができる。
【００２７】
なお、図１に示すように、第１及び第２のフィルタ部１２，１３は、ローパスフィルタとしての機能を有する。一方、第３〜第６のフィルタ部１４〜１７は、バンドパスフィルタとしての機能を有している。また、第３〜第６のフィルタ部１４〜１７は、平衡−不平衡変換機能を有するフィルタ部である。
【００２８】
図２に示すように、複合高周波部品１は、複数の誘電体層を積層してなる長方形状の回路基板２０を備えている。回路基板２０は、第１の方向ｘに沿って延びる第１及び第２の長辺２０Ａ，２０Ｂと、第１の方向ｘに対して垂直な第２の方向ｙに沿って延びる第１及び第２の短辺２０Ｃ，２０Ｄとを有する。また、回路基板２０は、第１の主面（表面）２０ａと、第１の主面２０ａに対向している第２の主面（裏面）２０ｂとを有する。回路基板２０の第１の主面２０ａの上には、高周波スイッチ１０と、２つのデュアルバンド弾性表面波フィルタ３０ａ、３０ｂと、その他のチップ部品２１ａ〜２１ｄとが実装されている。
【００２９】
デュアルバンド弾性表面波フィルタ３０ａ、３０ｂのそれぞれは、通過帯域が相互に異なる２つの弾性表面波フィルタ部を有するデュアルバンドタイプの弾性表面波フィルタである。詳細には、デュアルバンド弾性表面波フィルタ３０ａは、図１に示す第３のフィルタ部１４と、第４のフィルタ部１５とを有する。一方、デュアルバンド弾性表面波フィルタ３０ｂは、第５のフィルタ部１６と第６のフィルタ部１７とを有する。
【００３０】
これらデュアルバンド弾性表面波フィルタ３０ａ、３０ｂは、ＩＤＴ電極の構成等の詳細を除いて、大略的には同様の構成を有する。このため、デュアルバンド弾性表面波フィルタ３０ａの略図的断面図である図３及び図４〜図６を参照しながらデュアルバンド弾性表面波フィルタ３０ａ、３０ｂの具体的構成について説明する。
【００３１】
図３〜図５に示すように、デュアルバンド弾性表面波フィルタ３０ａは、複数の誘電体層を積層してなる長方形状の配線基板３１を有する。図４及び図５に示すように、第１及び第２の長辺３１Ａ，３１Ｂと、第１及び第２の短辺３１Ｃ，３１Ｄと、第１の長辺３１Ａと第１の短辺３１Ｃとで構成されている第１の角部３１Ｅと、第２の長辺３１Ｂと第２の短辺３１Ｄとで構成されている第２の角部３１Ｆとを有する。また、配線基板３１は、図３〜図５に示すように、第１の主面（表面）３１ａと、第１の主面３１ａと対向している第２の主面（裏面）３１ｂとを有する。
【００３２】
図３に示すように、配線基板３１の第１の主面３１ａの上には、弾性表面波チップ３２がフリップチップボンディングされており、樹脂パッケージ３４により封止されている。弾性表面波チップ３２は、図１に示す第３のフィルタ部１４を有する第１の弾性表面波チップと、第４のフィルタ部１５を有する第２の弾性表面波チップとが一体に形成されたものである。
【００３３】
図６に示すように、弾性表面波チップ３２は、上記第１の弾性表面波チップの圧電基板と第２の弾性表面波チップの圧電基板とが一体に形成された圧電基板３３を備えている。圧電基板３３は、適宜の圧電材料により形成することができる。圧電基板３３は、ＬｉＮｂＯ３やＬｉＴａＯ３、水晶などにより形成することができる。
【００３４】
なお、第１の弾性表面波チップと第２の弾性表面波チップとは、それぞれの圧電基板を別個に設けることにより別体に設けられていてもよい。
【００３５】
圧電基板３３の上には、第３のフィルタ部１４を構成している第１の弾性表面波フィルタ部３５と、第４のフィルタ部１５を構成している第２の弾性表面波フィルタ部３６とが形成されている。この第２の弾性表面波フィルタ部３６は、第１の弾性表面波フィルタ部３５と通過帯域が異なる。すなわち、本実施形態では、第２の弾性表面波フィルタ部３６の受信周波数帯は、第１の弾性表面波フィルタ部３５の受信周波数帯とは異なる。
【００３６】
第１の弾性表面波フィルタ部３５は、平衡−不平衡変換機能を有する所謂バランス型の弾性表面波フィルタ部である。第１の弾性表面波フィルタ部３５は、第１の入力パッド電極３５ａと、２つの第１の出力パッド電極３５ｂ１，３５ｂ２とを有する。第１の入力パッド電極３５ａと、２つの第１の出力パッド電極３５ｂ１，３５ｂ２との間には、縦結合共振子型弾性表面波素子３５ｃが電気的に接続されている。縦結合共振子型弾性表面波素子３５ｃと第１の出力パッド電極３５ｂ１との間には、弾性表面波共振子３５ｄが電気的に接続されている。縦結合共振子型弾性表面波素子３５ｃと第１の出力パッド電極３５ｂ２との間には、弾性表面波共振子３５ｅが電気的に接続されている。
【００３７】
第２の弾性表面波フィルタ部３６も、第１の弾性表面波フィルタ部３５と同様に、平衡−不平衡変換機能を有する所謂バランス型の弾性表面波フィルタ部である。第２の弾性表面波フィルタ部３６は、第２の入力パッド電極３６ａと、２つの第２の出力パッド電極３６ｂ１，３６ｂ２とを有する。第２の入力パッド電極３６ａと、２つの第２の出力パッド電極３６ｂ１，３６ｂ２との間には、縦結合共振子型弾性表面波素子３６ｃが電気的に接続されている。縦結合共振子型弾性表面波素子３６ｃと第２の入力パッド電極３６ａとの間には、弾性表面波共振子３６ｄが電気的に接続されている。
【００３８】
また、圧電基板３３の上には、グラウンドパッド電極３７ａ〜３７ｃが設けられている。
【００３９】
第１及び第２の入力パッド電極３５ａ，３６ａと、第１及び第２の出力パッド電極３５ｂ１，３５ｂ２，３６ｂ１，３６ｂ２とは、図４に示す配線基板３１の第１の主面３１ａの上に形成されている電極３８ａ〜３８ｆにバンプを介して電気的に接続されている。具体的には、第１の入力パッド電極３５ａが電極３８ａに電気的に接続されている。第２の入力パッド電極３６ａが電極３８ｂに電気的に接続されている。第１の出力パッド電極３５ｂ１が電極３８ｃに電気的に接続されている。第１の出力パッド電極３５ｂ２が電極３８ｄに電気的に接続されている。第２の出力パッド電極３６ｂ１が電極３８ｅに電気的に接続されている。第２の出力パッド電極３６ｂ２が電極３８ｆに電気的に接続されている。グラウンドパッド電極３７ａ〜３７ｃは、グラウンド電位に電気的に接続されている電極３８ｇにバンプを介して電気的に接続されている。なお、その他の電極３８ｈ及び３８ｉは、ダミー電極である。
【００４０】
電極３８ａ〜３８ｆは、図３に模式的に示す、配線基板３１内に形成されている配線４０によって、図５に示すように、配線基板３１の第２の主面（裏面）３１ｂ上に形成されている入出力端子３９ａ〜３９ｆに電気的に接続されている。具体的には、第１の入力パッド電極３５ａに電気的に接続されている電極３８ａは、第１の入力端子３９ａに電気的に接続されている。第２の入力パッド電極３６ａに電気的に接続されている電極３８ｂは、第２の入力端子３９ｂに電気的に接続されている。第１の出力パッド電極３５ｂ１が電気的に接続されている電極３８ｃは、第１の出力端子３９ｃに電気的に接続されている。第１の出力パッド電極３５ｂ２が電気的に接続されている電極３８ｄは、第１の出力端子３９ｄに接続されている。第２の出力パッド電極３６ｂ１が電気的に接続されている電極３８ｅは、第２の出力端子３９ｅに接続されている。第２の出力パッド電極３６ｂ２が電気的に接続されている電極３８ｆは、第２の出力端子３９ｆに接続されている。
【００４１】
図５に示すように、第１の入力端子３９ａは、配線基板３１の第２の主面３１ｂの第１の角部３１Ｅの上に形成されている。第１の入力端子３９ａは、第１の長辺３１Ａと、第１の短辺３１Ｃとのそれぞれと対向している。第２の入力端子３９ｂは、配線基板３１の第２の主面３１ｂの上において、第１の入力端子３９ａと隣り合うように、第１の長辺３１Ａに沿って配置されている。換言すれば、第１及び第２の入力端子３９ａ、３９ｂは、第１の長辺３１Ａ側の端縁部において、第１の角部３１Ｅ側に偏って配置されている。一方、第１及び第２の出力端子３９ｃ〜３９ｆは、配線基板３１の第２の主面３１ｂの第２の長辺３１Ｂ側の端縁部において、第２の長辺３１Ｂに沿って等間隔に配列されている。なお、図５は配線基板３１の第１の主面３１ａ側から透視した第１及び第２の入力端子３９ａ、３９ｂと第１及び第２の出力端子３９ｃ〜３９ｆとを示す透視平面図である。また、図５のなかで入出力端子３９ａ〜３９ｆ以外の端子はグラウンド端子またはダミー端子である。
【００４２】
次に、主として図２を参照しながら、高周波スイッチ１０と、２つのデュアルバンド弾性表面波フィルタ３０ａ、３０ｂの回路基板２０の第１の主面（表面）２０ａへの実装態様について説明する。
【００４３】
図２に示すように、高周波スイッチ１０と、２つのデュアルバンド弾性表面波フィルタ３０ａ、３０ｂとは、回路基板２０の第１及び第２の長辺２０Ａ，２０Ｂの延びる方向である第１の方向ｘに沿って配列されている。高周波スイッチ１０と、２つのデュアルバンド弾性表面波フィルタ３０ａ、３０ｂとのうち、高周波スイッチ１０が第１の方向ｘにおける中央に位置している。デュアルバンド弾性表面波フィルタ３０ａは、高周波スイッチ１０に対して第１の方向ｘのｘ１側に配置されている。一方、デュアルバンド弾性表面波フィルタ３０ｂは、高周波スイッチ１０に対して第１の方向ｘのｘ２側に配置されている。
【００４４】
デュアルバンド弾性表面波フィルタ３０ａは、回路基板２０の第１の主面２０ａの第１の長辺２０Ａと、デュアルバンド弾性表面波フィルタ３０ａの第２の短辺３１Ｄとが対向すると共に、回路基板２０の第１の主面２０ａの第１の短辺２０Ｃとデュアルバンド弾性表面波フィルタ３０ａの第２の長辺３１Ｂとが対向するように配置されている。
【００４５】
デュアルバンド弾性表面波フィルタ３０ｂは、回路基板２０の第１の主面２０ａの第１の長辺２０Ａと、デュアルバンド弾性表面波フィルタ３０ｂの第２の短辺３１Ｄとが対向すると共に、回路基板２０の第１の主面２０ａの第２の短辺２０Ｄとデュアルバンド弾性表面波フィルタ３０ｂの第２の長辺３１Ｂとが対向するように配置されている。なお、デュアルバンド弾性表面波フィルタ３０ｂは、デュアルバンド弾性表面波フィルタ３０ａに対して、第１及び第２の入力端子３９ａ、３９ｂと第１及び第２の出力端子３９ｃ〜３９ｆが鏡面対称の配置となるように構成されている。
【００４６】
高周波スイッチ１０は、矩形状に形成されており、回路基板２０の第１の主面２０ａ上において、デュアルバンド弾性表面波フィルタ３０ａ、３０ｂの第１の長辺３１Ａとそれぞれ対向するように配置されている。このため、デュアルバンド弾性表面波フィルタ３０ａ、３０ｂの第１及び第２の入力端子３９ａ、３９ｂは、高周波スイッチ１０に近接して配置されている。第１及び第２の入力端子３９ａ、３９ｂは、回路基板２０の内部に設けられている入力側配線４１ａ、４１ｂとビアホール電極とを介して高周波スイッチ１０に電気的に接続されている。
【００４７】
一方、第１及び第２の出力端子３９ｃ〜３９ｆは、回路基板２０の第２の主面（裏面）２０ｂの上に形成されている複数の外部端子４３ａ〜４３ｈに電気的に接続されている。これら複数の外部端子４３ａ〜４３ｈは、回路基板２０の第２の主面２０ｂの第１の長辺２０Ａ側の端縁部において、第１の長辺２０Ａに沿って配列されている。
【００４８】
詳細には、本実施形態では、デュアルバンド弾性表面波フィルタ３０ａの第１の出力端子３９ｃは、回路基板２０の内部に形成されている出力側配線４２ａとビアホール電極とを介して外部端子４３ｃに電気的に接続されている。デュアルバンド弾性表面波フィルタ３０ａの第１の出力端子３９ｄは、回路基板２０の内部に形成されている出力側配線４２ｂとビアホール電極とを介して外部端子４３ｄに電気的に接続されている。デュアルバンド弾性表面波フィルタ３０ａの第２の出力端子３９ｅは、回路基板２０の内部に形成されている出力側配線４２ｃとビアホール電極とを介して外部端子４３ｂに電気的に接続されている。デュアルバンド弾性表面波フィルタ３０ａの第２の出力端子３９ｆは、回路基板２０の内部に形成されている出力側配線４２ｄとビアホール電極とを介して外部端子４３ａに電気的に接続されている。
【００４９】
また、デュアルバンド弾性表面波フィルタ３０ｂの第１の出力端子３９ｃは、回路基板２０の内部に形成されている出力側配線４２ｅとビアホール電極とを介して外部端子４３ｆに電気的に接続されている。デュアルバンド弾性表面波フィルタ３０ｂの第１の出力端子３９ｄは、回路基板２０の内部に形成されている出力側配線４２ｆとビアホール電極とを介して外部端子４３ｅに電気的に接続されている。デュアルバンド弾性表面波フィルタ３０ｂの第２の出力端子３９ｅは、回路基板２０の内部に形成されている出力側配線４２ｇとビアホール電極とを介して外部端子４３ｇに電気的に接続されている。デュアルバンド弾性表面波フィルタ３０ｂの第２の出力端子３９ｆは、回路基板２０の内部に形成されている出力側配線４２ｈとビアホール電極とを介して外部端子４３ｈに電気的に接続されている。
【００５０】
なお、チップ部品２１ａ〜２１ｄは、回路基板２０の第１の主面２０ａにおいて、高周波スイッチ１０及びデュアルバンド弾性表面波フィルタ３０ａ、３０ｂよりも第２の方向ｙのｙ２側端縁部に第１の方向ｘに沿って配列されている。
【００５１】
第１及び第２のフィルタ部１２，１３は、回路基板２０の内部に形成されている図示しない配線パターンからなるＬＣ共振回路により構成されている。
【００５２】
以上説明したように、本実施形態では、第１の入力端子３９ａが第１の角部３１Ｅに形成されている。第２の入力端子３９ｂは、第１の入力端子３９ａと隣り合うように、第１の長辺３１Ａに沿って配置されている。そして、第１及び第２の出力端子３９ｃ〜３９ｆは、第２の長辺３１Ｂ側の端縁部において、第２の長辺３１Ｂに沿って配列されている。このため、複合高周波部品１と後段のＲＦ−ＩＣとを接続する配線を最短とするために、複合高周波部品１の外部端子４３ａ〜４３ｈを第１の長辺２０Ａ側の端縁部に配列したとしても、入力側配線４１ａ、４１ｂと、出力側配線４２ａ〜４２ｈとが回路基板２０の積層方向において交差したり、近接したりすることを効果的に抑制することができる。よって、不要な寄生成分の発生を効果的に抑制することができる。従って、入出力間のアイソレーションや平衡出力信号の平衡度などのフィルタ特性の悪化を抑制することができる。
【００５３】
以下、この効果について、具体的な実施例に基づいてさらに詳細に説明する。
【００５４】
図７は、実施例に係る複合高周波部品における第４のフィルタ部の挿入損失と、比較例に係る複合高周波部品における第４のフィルタ部の挿入損失とを表すグラフである。図８は、実施例に係る複合高周波部品における第４のフィルタ部の振幅平衡度と、比較例に係る複合高周波部品における第４のフィルタ部の振幅平衡度とを表すグラフである。図９は、実施例に係る複合高周波部品における第４のフィルタ部の位相平衡度と、比較例に係る複合高周波部品における第４のフィルタ部の位相平衡度とを表すグラフである。
【００５５】
図７〜図９に示す実施例に係る複合高周波部品は、上記第１の実施形態に係る複合高周波部品１と同様の構成を有するものであり、比較例に係る複合高周波部品は、図１２に示す部品の配置構成と、図１３に示す回路基板の内部配線のレイアウトを採用したこと以外は、実施例と同様の構成を有するものである。図７に示すように、上記第１の実施形態の構成を採用した実施例の方が、比較例よりも入出力間のアイソレーションが悪化しないため、通過帯域における挿入損失が小さく、通過帯域高域側の帯域外減衰量が大きい。また、図８及び図９に示すように、実施例の方が、比較例よりも平衡出力信号の平衡度が良好であることが分かる。以上より、上記第１の実施形態の構成を採用することにより、良好なフィルタ特性が得られることが分かる。
【００５６】
また、第１の実施形態のデュアルバンド弾性表面波フィルタ３０ａ、３０ｂにおける第１及び第２の入力端子３９ａ、３９ｂと第１及び第２の出力端子３９ｃ〜３９ｆの配置を採用することにより、回路基板２０の入力側配線４１ａ、４１ｂと、出力側配線４２ａ〜４２ｈとの配置自由度を高めることができる。さらに、第１の実施形態の回路基板２０における高周波スイッチ１０、デュアルバンド弾性表面波フィルタ３０ａ、３０ｂの配置を採用することにより、複合高周波部品１の小型化を図ることができる。
【００５７】
なお、上記第１の実施形態では、第１及び第２の入力端子３９ａ、３９ｂが第１の長辺３１Ａに沿って配列されている場合について説明した。但し、本発明は、この構成に限定されない。例えば、第１及び第２の入力端子３９ａ、３９ｂは隣り合っていればよく、配線基板３１の第１の短辺３１Ｃに沿って配列されていてもよい。
【００５８】
また、上記第１の実施形態では、デュアルバンド弾性表面波フィルタ３０ａ、３０ｂのそれぞれにおいて、第１及び第２の出力端子３９ｃ〜３９ｆのすべてが第２の長辺３１Ｂに沿って配列されている場合について説明した。但し、本発明はこの構成に限定されない。本発明においては、デュアルバンド弾性表面波フィルタの２つの第１の出力端子のうちの少なくとも一方と、２つの第２の出力端子のうちの少なくとも一方とが第２の長辺３１Ｂ側に配置されていればよく、残りの第１の出力パッド電極または第２の出力パッド電極は第１の短辺３１Ｃ側または第２の短辺３１Ｄ側に配置されてもよい。
【００５９】
また、上記第１の実施形態では、デュアルバンド弾性表面波フィルタの第１、第２の弾性表面波フィルタ部がバランス型であり、計４つの出力端子が設けられている場合について説明した。但し、本発明は、この構成に限定されない。例えば、第１の弾性表面波フィルタ部の出力端子が第２の弾性表面波フィルタ部の出力端子と共用されていてもよい。また、第１、第２の弾性表面波フィルタ部が平衡−不平衡変換機能を備えないアンバランス型であってもよい。これらの場合は、２つの出力端子が設けられることとなる。例えば、図１０に示す例では、第１の出力端子３９ｃと第２の出力端子３９ｅとが一体に形成された出力端子３９ｘと、第１の出力端子３９ｄと第２の出力端子３９ｆとが一体に形成された出力端子３９ｙとの２つの出力端子が設けられることとなる。図１０に示す例では、出力端子３９ｘ、３９ｙを第２の角部３１Ｆに配置する一方、第１及び第２の入力端子３９ａ、３９ｂを第１の角部３１Ｅに配置することが好ましい。すなわち、出力端子３９ｘ、３９ｙと第１及び第２の入力端子３９ａ、３９ｂとを対角上に配置することが好ましい。
【００６０】
なお、図１０に示す例では、出力端子３９ｘ、３９ｙと第１及び第２の入力端子３９ａ、３９ｂとのそれぞれが、長辺に沿って配列されている例について説明したが、出力端子３９ｘ、３９ｙと第１及び第２の入力端子３９ａ、３９ｂとのそれぞれは、短辺に沿って配列されていてもよい。
【００６１】
このように出力端子３９ｘ、３９ｙと第１及び第２の入力端子３９ａ、３９ｂを配置することにより、回路基板２０の入力側配線４１ａ、４１ｂと、出力側配線４２ａ〜４２ｈとの配置自由度をさらに高めることができる。
【符号の説明】
【００６２】
１…複合高周波部品
１０…高周波スイッチ
１１…アンテナ端子
１２…第１のフィルタ部
１３…第２のフィルタ部
１４…第３のフィルタ部
１５…第４のフィルタ部
１６…第５のフィルタ部
１７…第６のフィルタ部
２０…回路基板
２０Ａ…回路基板の第１の長辺
２０Ｂ…回路基板の第２の長辺
２０Ｃ…回路基板の第１の短辺
２０Ｄ…回路基板の第２の短辺
２０ａ…回路基板の第１の主面
２０ｂ…回路基板の第２の主面
２１ａ〜２１ｄ…チップ部品
３０ａ、３０ｂ…デュアルバンド弾性表面波フィルタ
３１…配線基板
３１Ａ…配線基板の第１の長辺
３１Ｂ…配線基板の第２の長辺
３１Ｃ…配線基板の第１の短辺
３１Ｄ…配線基板の第２の短辺
３１Ｅ…配線基板の第１の角部
３１Ｆ…配線基板の第２の角部
３１ａ…配線基板の第１の主面
３１ｂ…配線基板の第２の主面
３２…弾性表面波チップ
３３…圧電基板
３４…樹脂パッケージ
３５…第１の弾性表面波フィルタ部
３５ａ…第１の入力パッド電極
３５ｂ１、３５ｂ２…第１の出力パッド電極
３５ｃ…縦結合共振子型弾性表面波素子
３５ｄ…弾性表面波共振子
３５ｅ…弾性表面波共振子
３６…第２の弾性表面波フィルタ部
３６ａ…第２の入力パッド電極
３６ｂ１，３６ｂ２…第２の出力パッド電極
３６ｃ…縦結合共振子型弾性表面波素子
３６ｄ…弾性表面波共振子
３７ａ〜３７ｃ…グラウンドパッド電極
３８ａ〜３８ｈ…電極
３９ａ…第１の入力端子
３９ｂ…第２の入力端子
３９ｃ〜３９ｆ、３９ｘ、３９ｙ…出力端子
４０…配線
４１ａ、４１ｂ…入力側配線
４２ａ〜４２ｈ…出力側配線
４３ａ〜４３ｈ…外部端子
【図１】
2011155235.tif 000003
【図２】
2011155235.tif 000004
【図３】
2011155235.tif 000005
【図４】
2011155235.tif 000006
【図５】
2011155235.tif 000007
【図６】
2011155235.tif 000008
【図７】
2011155235.tif 000009
【図８】
2011155235.tif 000010
【図９】
2011155235.tif 000011
【図１０】
2011155235.tif 000012
【図１１】
2011155235.tif 000013
【図１２】
2011155235.tif 000014
【図１３】
2011155235.tif 000015
【国際調査報告】
2011155235.tif 000016
2011155235.tif 000017
2011155235.tif 000018
2011155235.tif 000019